(57)【特許請求の範囲】
【請求項１】
プロセスユニット（２０）へ密閉接続するためのフレキシブルな容器（１０．１；１０．２）であって、
プロセスユニットと容器の少なくとも部分容積を有する、互いに連通する空間（１２、２２）に負圧が供給され、
前記容器を支持する支持装置（３０．１；３０．２）のための収容部が、前記容器（１０．１；１０．２）の壁（１４．１；１４．２）の中に配置されている、フレキシブルな容器において、
前記支持装置（３０．１；３０．２）のための前記収容部が、前記壁（１４．１；１４．２）の中に形成されているポケット（１６．１；１６．２）内に延びている、
ことを特徴とするフレキシブルな容器。
【請求項２】
前記支持装置（３０．１；３０．２）のための前記収容部が、充填方向（Ｅ）を向いた軸方向の視線で見て、周方向及び／又は軸方向に延びている、
ことを特徴とする請求項１に記載のフレキシブルな容器。
【請求項３】
前記ポケット（１６．１；１６．２）が、内壁（１８．１；１８．２）を外壁（１９．１；１９．２）と周方向又は径方向に少なくとも部分的に溶接することによって形成されている、
ことを特徴とする請求項１又は２に記載のフレキシブルな容器（１０．１；１０．２）。
【発明の詳細な説明】
【技術分野】
【０００１】
本発明は、特許請求項１、７もしくは８の前文の特徴を有する、フレキシブルな容器、この種のフレキシブルな容器用の充填装置及びそれに応じた充填方法に関する。
【背景技術】
【０００２】
特許文献１からは、充填ステーションにおいてプラスチック袋を充填する装置が知られているが、それはもちろん、容器に接続すべきプロセスユニット内を支配することの多い負圧を考慮しておらず、あるいは少なくとも満足のゆくようには考慮しない。
【０００３】
真空を供給されるプロセスユニットからフレキシブルな容器を充填するプロセスは、真空が印加されるとすぐに、既知の容器が萎縮してしまうので、フレキシブルな容器内へ材料が落下しないことで、失敗してしまう。したがってそのようなところではフレキシブルな容器は使用されず、あるいは多大な手間をかけてのみ、使用することができる。
【先行技術文献】
【特許文献】
【０００４】
【特許文献１】Ｇ８８０５７１３号
【発明の概要】
【発明が解決しようとする課題】
【０００５】
したがって本発明の問題は、負圧で作動するプロセスユニットに接続するためのフレキシブルな容器を提案し、かつ適切な充填方法と好ましい充填装置も可能にすることである。
【課題を解決するための手段】
【０００６】
この問題は、本発明によれば、請求項１に記載の特徴を有するフレキシブルな容器、請求項７に記載の充填装置及び請求項８に記載の方法特徴を有する充填方法によって解決される。
【０００７】
好ましい実施形態が、下位請求項に記載されている。
【０００８】
フレキシブルな容器とプロセスユニットは、互いに連通する空間を有しており、その空間に負圧が供給される。本発明に係るフレキシブルな容器は、支持装置のための収容部及び／又は支持装置自体を、容器の壁に、あるいはその中に有している。
【０００９】
支持装置は、少なくともこの領域内で、好ましい実施形態においてはさらに容器の内部へ深く入って、内側から外側へ向かう支持機能を引き受け、そうでない場合にはすぐに萎縮してしまうことに抵抗作用する。
【００１０】
本発明に係る容器の好ましい実施形態によれば、支持装置のための収容部が、充填方向に方向付けされた軸方向を有する視点に基づいて、周方向及び／又は軸方向に延びている。
【００１１】
本発明に係る容器の他の好ましい実施形態によれば、支持装置は延長されたパイプスリーブであって、その回りにフレキシブルな容器のひだが形成される。その場合に容器全体が、支持装置を収容する。
【００１２】
本発明に係る容器の他の好ましい実施形態によれば、支持装置のための収容部が、壁に、あるいは壁内に形成されたポケット内に延びている。
【００１３】
本発明に係る容器の他の好ましい実施形態によれば、壁は、少なくとも部分的に二重壁で形成されている。壁は、内壁と外壁との間に支持装置を収容するように定められている。
【００１４】
本発明に係る容器の他の好ましい実施形態によれば、ポケットは、周方向又は径方向に内壁を外壁と部分的に溶接することによって形成されている。
【００１５】
本発明に係る充填装置は、この種のフレキシブルな容器のために支持装置を搭載しており、その支持装置がフレキシブルな容器内に収容可能である。
【００１６】
この種のフレキシブルな容器のための本発明に係る充填方法は、以下の方法特徴を有している。容器は、負圧によって駆動されるプロセスユニットに接続可能であって、支持装置が容器を、内側へ向かって容器の壁に作用する真空の力に抗して開放して保持する。
【００１７】
以下、図に示す２つの実施形態を用いて本発明を詳細に説明する。表示は、構造を図式的に示しており、少なくとも部分的にコンポーネントの内部を覗き込むことを許すものである。
【図面の簡単な説明】
【００１８】
【図１】本発明に係るフレキシブルな容器の第１の実施例を図式的に示す側面図であって、その容器は本発明に係る充填方法に従って充填するためにプロセスユニットに接続されており、かつ本発明に係る充填装置内に収容されている。
【図２】図１の容器を図式的に示す上面図である。
【図３】本発明に係る容器の第２の実施例を図式的に示す軸断面図である。
【発明を実施するための形態】
【００１９】
図１、２は、側面図（図１）と上面図（図２）である。
【００２０】
図１、２は、本発明に係る容器１０．１の第１の実施例を示しており、その容器は上が真空を供給されるプロセスユニット２０に接続されており、下は充填装置３０内に収容されている。
【００２１】
その場合に、第１の実施例に基づくフレキシブルな容器１０．１は、上において第１の支持装置３０．３、すなわちプロセスユニット２０の充分に長く形成されたパイプスリーブを包囲しており、そのパイプスリーブはさらに通常のように、容器の内部へ突出している。特に好ましいのは、接続の問題性の解決であって、それにおいて相互に係止し合うプラスチック閉鎖ストリップが使用される。
【００２２】
第１の実施例に基づくフレキシブルな容器は、下方において軸方向の、したがって充填方向Ｅに沿って方向付けされた、ポケット１６．１を有しており、それらのポケットが容器の周面にわたって配置されて、第２の支持装置３０．１のバーを収容する。ポケット１６．１は、壁１４．１内に形成されている。
そのために、壁１４．１は、特に図２から良好に認識できるように、内部容器とも称することができる内側の壁１８．１と外側の壁１９．１を有しており、その外側の壁は外側に配置された管状のフィルムの部分とすることができる。壁１８．１と１９．１は、軸方向の線に沿って溶接されている。好ましくはポリエチレンのフィルムが互いに結合される。
【００２３】
図３には、同様に、かつ軸断面に沿って本発明に係る容器１０．２の第２の実施例が示されている。充填方向Ｅに充填すべき空間１２が、ここでは周方向に配置されている支持装置３０．２によって張り広げられている。そのために、支持装置３０．２は容器１０．２の一部として一周する、特に螺旋形状に一周する、１つ又は複数のポケット１４．２内に配置されている。
【００２４】
第２の実施例に基づく容器を形成する場合に、配置が螺旋形状である場合に、内壁１８．２は外壁１９．２とエンドレスに互いに溶接することができる。
【図１】
0006334575.tif 000002
【図２】
0006334575.tif 000003
【図３】
0006334575.tif 000004